(57)【要約】【課題】車両前方から入力される衝撃荷重の入力エネルギーを効率良く吸収することができると共に、エンジンルーム内の設計自由度を向上させることができるフロントサイドメンバ接合構造を提供する。【解決手段】内部に集塵室２３とこの集塵室２３に吸込負圧を作用させる電動送風機３０とが配設された掃除機本体１１を有し、電動送風機３０はファン部３１とこのファン部３１を駆動させるモータ部３２とを備え、ファン部３１の周縁部３１ａと掃除機本体１１との間には弾力性を有する気密保持部材４０が介装され、モータ部３２はモータカバー４２に覆われ、電動送風機３０にはモータ部３２とモータカバー４２との間に排気する第１排気口３４が設けられ、モータカバー４２には外気に連通する第２排気口４５が設けられた電気掃除機１０であって、モータカバー４２はモータ部３２の外周面３２ａを覆う内筒４３とこの内筒４３の外周面４３ａを覆う外筒４４とを備え、内筒４３の外周面４３ａと外筒４４の内周面４４ａ´との間を第１排気口３４と第２排気口４５とを連通する排気風路４６にすると共に、排気風路４６には消音部材（第３消音部材）４７を保持させた。【選択図】　　図２
2004081428.tif 000002
【特許請求の範囲】
【請求項１】
内部に集塵室と該集塵室に吸込負圧を作用させる電動送風機とが配設された掃除機本体を有し、前記電動送風機はファン部と該ファン部を駆動させるモータ部とを備え、前記ファン部の周縁部と前記掃除機本体との間には気密保持部材が介装され、前記モータ部はモータカバーに覆われ、前記電動送風機には前記モータ部と前記モータカバーとの間に排気する第１排気口が設けられ、前記モータカバーには外気に連通する第２排気口が設けられた電気掃除機であって、
前記モータカバーは前記モータ部の外周面を覆う内筒と該内筒の外周面を覆う外筒とを備え、前記内筒の前記外周面と前記外筒の内周面との間は前記第１排気口と前記第２排気口とを連通する排気風路にされると共に、該排気風路には消音部材が保持されたことを特徴とする電気掃除機。
【請求項２】
請求項１に記載の電気掃除機において、前記外筒の前記ファン部側の先端は、前記気密保持部材に密着されていることを特徴とする電気掃除機。
【発明の詳細な説明】
【０００１】
【発明の属する技術分野】
この発明は、ファン部とモータ部とを有する電動送風機を備え、モータ部がモータカバーによって取り囲まれた電気掃除機に関するものである。
【０００２】
【従来の技術】
従来の電気掃除機としては、図４に示すようなものが知られている。
【０００３】
この電気掃除機１は、掃除機本体２を有している。そして、この掃除機本体２内には、集塵室３と、この集塵室３に吸込負圧を作用させる電動送風機４が配設された送風機室４ａとが形成されている。なお、Ｂは電動送風機４に電力を供給するバッテリーパックである。
【０００４】
電動送風機４は、集塵室３の上部開口３ａに対向した吸込口５ａを有するファン部５と、ファン部５を駆動させるモータ（図示せず）を内蔵したモータ部６とを備えている。このモータ部６の周面には第１排気口６ａが設けられている。吸込口５ａから吸い込まれた空気は、ファン部５及びモータ部６内を順次通過して、第１排気口６ａから排気される。
【０００５】
そして、ファン部５の周縁部と送風機室４ａの内面との間には弾力性を有する気密保持部材７が介装されている。また、モータ部６の周囲はモータカバー８によって覆われている。なお、モータ部６の上部とモータカバー８との間には、モータ部６の振動を緩衝するモータ支持ゴムＧが介装されている。
【０００６】
モータカバー８のモータ部６側の上端部８ａには、上方に開口して外気に連通する第２排気口８ｂが形成されている。
【０００７】
このような電気掃除機１では、図示しないスイッチを入れてモータ部６内のモータを駆動させると、ファン部５が駆動して吸込口５ａから空気が吸い込まれ、集塵室３内に吸込負圧が作用する。そして、この吸込負圧は図示しない集塵ホースを介して図示しない吸込口体の内部にまで作用し、被清掃面上の塵埃を吸い込んでいく。
【０００８】
一方、ファン部５内に吸い込まれた空気は、モータ部６の内部に流れ込んだ後に、第１排気口６ａからモータカバー８の内側に排気される。そして、この空気は、モータカバー８の上端部８ａに形成された第２排気口８ｂから送風機室４ａ内に排気され、この送風機室４ａの周面に形成された連通口４ｂを介して外気に排気されていく。
【０００９】
【発明が解決しようとする課題】
しかしながら、上述の電気掃除機１では、第１排気口６ａから排気された空気が、モータカバー８の周壁に直接ぶつかりながら第２排気口８ｂに向かうので、電動送風機４を駆動させた際に生じる騒音が空気の流れと共に外に漏れてしまい、この騒音を十分に抑制することが困難であった。
【００１０】
また、第１排気口６ａと第２排気口８ｂとの間が短くなっており、第１排気口６ａから排気された空気の勢いが弱まらずに第２排気口８ｂから排気されていた。そのため、さらに騒音を抑制することが困難になっていた。
【００１１】
この発明は、上記問題に鑑みてなされたものであり、電動送風機を駆動した際に生じる騒音を十分に抑制することができる電気掃除機を提供することを目的としている。
【００１２】
【課題を解決するための手段】
上記課題を解決するために、この発明の電気掃除機は、内部に集塵室とこの集塵室に吸込負圧を作用させる電動送風機とが配設された掃除機本体を有し、電動送風機はファン部とこのファン部を駆動させるモータ部とを備え、ファン部の周縁部と掃除機本体との間には弾力性を有する気密保持部材が介装され、モータ部はモータカバーに覆われ、電動送風機にはモータ部とモータカバーとの間に排気する第１排気口が設けられ、モータカバーには外気に連通する第２排気口が設けられ、モータカバーはモータ部の外周面を覆う内筒とこの内筒の外周面を覆う外筒とを備え、内筒の外周面と外筒の内周面との間は第１排気口と第２排気口とを連通する排気風路にされると共に、この排気風路には消音部材が保持されたことを特徴としている。
【００１３】
この発明によれば、第１排気口から排気された空気は、まずモータ部と内筒との間に流れ込み、そして内筒の外周面と外筒の内周面との間である排気風路に流れ込んだ後に第２排気口を介して外気に排気される。
【００１４】
これにより、第１排気口から排気された空気がモータカバーの外周壁、つまり外筒に直接ぶつかることが回避されると共に、第１排気口と第２排気口との間が長くなって、排気される空気の勢いを抑えることができる。そして、電動送風機が駆動した際に生じる騒音を十分に抑制することができる。
【００１５】
さらに、第１排気口と第２排気口とを連通する排気風路に保持された消音部材を空気が通過するので、より騒音を抑制することが可能となる。
【００１６】
【発明の実施の形態】
以下、図面に基づいてこの発明の実施の形態を説明する。
【００１７】
この発明の電気掃除機１０は、図１及び図２に示すように、掃除機本体１１と、この掃除機本体１１に着脱自在に接続された吸込ホース１２とを備えている。そして、この吸込ホース１２の先端部１２ａには手元操作管１３が連結され、手元操作管１３には延長管１４を介して吸込口体１５が着脱自在に接続されている。
【００１８】
掃除機本体１１は下ケース１６と上ケース１７とを備え、この上下ケース１６、１７は下ケース１６に設けられた複数のクランプ手段１８により着脱自在に固定されている。また、この掃除機本体１１は、下ケース１６の下側に設けられた複数のキャスター１９により移動可能にされている。
【００１９】
下ケース１６は、上方が開口したほぼ円筒形状の胴部２０を有し、この胴部２０の下側には四隅にそれぞれキャスター１９が取り付けられたほぼ正方形状の底板２１が設けられている。
【００２０】
そして、胴部２０の内側には、図２に示すように、仕切板２２が上下方向中間部に位置すると共に水平方向に沿って設けられ、上方から順に集塵室２３とバッテリ室２４とに区画されている。
【００２１】
集塵室２３には、上方に開口させた有底筒状の集塵容器２３ａが着脱可能に嵌着されている。そして、集塵容器２３ａの開口は、着脱自在に設けられたフィルタ２３ｂを介して上ケース１７により覆われている。
【００２２】
また、バッテリ室２４は胴部２０の側方に開口する開口２４ａが形成されると共に、バッテリパックＢがこの開口２４ａから挿脱自在に挿入されている。このバッテリパックＢから供給される電力によって電動送風機３０が駆動される。
【００２３】
上ケース１７は、下端部にフランジ部２５ａが形成された中空の筒状部２５と、筒状部２５の上端開口を覆う上蓋２６とを有している。
【００２４】
そして、図２に示すように、筒状部２５の内側には、電動送風機３０が配設された送風機室３０ａが形成されている。また、筒状部２５の周面には複数の連通口２７が形成され、外気と送風機室３０ａとが連通されている。さらに、連通口２７の内側は、通気性を有する第１消音部材２７ａによって閉成されている。
【００２５】
さらに、上蓋２６の上面には、電動送風機３０の駆動用のスイッチＳ及び掃除機本体１１の持ち運び用のハンドルＨが設けられている。また、この上蓋２６の内側に消音部材を設けてもよい。
【００２６】
一方、フランジ部２５ａには、上下方向に貫通する吸込開口２８が形成されている。そして、この吸込開口２８には、吸込ホース１２に接続されたほぼＬ字状の接続パイプ２８ａが水平方向回転自在且つ抜け外れ不能に挿通されている。また、吸込開口２８の内側には吸い込まれるエア及び塵埃を周方向に案内して旋回流にするガイド２８ｂが設けられている。
【００２７】
電動送風機３０は、内部に図示しない遠心ファンが設けられたファン部３１と、この遠心ファンを回転させる、即ち、ファン部３１を駆動させるモータ部３２とを備えている。また、モータ部３２は、ファン部３１の上方に向かって連続している。
【００２８】
ファン部３１は、ほぼ円筒状を呈しており、集塵室２３内の集塵容器２３ａの開口に対向した下端面には、ファン部が駆動する際に空気が流入する吸込口３３が形成されている。なお、吸込口３３は集塵室２３に向かって僅かに突出すると共に、先細形状に形成されている。
【００２９】
そして、ファン部３１の周縁部３１ａと掃除機本体１１である送風機室３０ａの内側壁との間には、気密性を保持すると共に電動送風機３０を支持する弾力性を有する気密保持部材４０が介装されている。なお、この気密保持部材４０は、ファン部３１の周縁部３１ａの全周を取り囲むことが望ましく、さらにゴムのような気密性を有するものであることが望ましい。
【００３０】
モータ部３２は、ファン部３１よりも外径が小さく形成された円筒形状を呈しており、図示しないモータが内蔵されている。
【００３１】
そして、モータ部３２の外周面３２ａには、第１排気口３４が設けられている。ここで、この第１排気口３４は外周面３２ａの上部近傍に設けられている。さらに、この外周面３２ａには、筒状の第２消音部材４１が巻きつけられている。また、このモータ部３２は、モータカバー４２によって全体が覆われている。このため、第１排気口３４から排気された空気は、モータ部３２とモータカバー４２との間に排気されることなる。
【００３２】
なお、モータ部３２の上端面とモータカバー４２の上面内側との間にはモータ支持ゴムＧが介装されて、モータ部３２がずれないように保持されると共に、モータ部３２の振動を緩衝している。
【００３３】
モータカバー４２は、図３に示すように、モータ部３２の外周面３２ａを覆う内筒４３と、この内筒４３をその外周面４３ａとの間に間隙を形成して覆う外筒４４とを備えている。
【００３４】
この内筒４３は、モータ支持ゴムＧから第１排気口３４までを一体に覆う内隔壁部４３ｂを有すると共に、この内隔壁部４３ｂの下端部には複数の連通開口４３ｃが形成されている。ここで、第１排気口３４はモータ部３２の外周面３２ａの上部近傍に内隔壁部４３ｂと対向して設けられているので、連通開口４３ｃと第１排気口３４とが対向することはない。
【００３５】
一方、外筒４４は、内筒４３の外周面４３ａ全体を覆う外隔壁部４４ａを有すると共に、上端面、言い換えれば内筒４３と外隔壁部４４ａと連続する壁面に上方に開口する第２排気口４５が設けられている。この第２排気口４５は、連通口２７を介して外気と連通している。また、外隔壁部４４ａの下端である、ファン部３１側の先端４４ｂは、気密保持部材４０に密着している。
【００３６】
そして、内筒４３の外周面４３ａと、外筒４４の内周面４４ａ´との間は、第１排気口３４と第２排気口４５とを連通する排気風路４６にされている。さらに、この排気風路４６には、弾性及び通気性を有する第３消音部材４７が保持されている。この第３消音部材４７は、外筒４４の内周面４４ａ´に沿って設けられ、且つ、内筒４３の外周面４３ａと外筒４４の内周面４４ａ´とで保持され、排気風路４６に充満されている。
【００３７】
次に、この電気掃除機１０の作用について説明する。
【００３８】
この電気掃除機１０を使用するには、まず掃除機本体１１に設けられたスイッチＳをＯＮし、電動送風機３０内のモータ（図示せず）を駆動させて、ファン部３１を駆動させる。これにより、吸込口３３から空気が吸い込まれ、集塵容器２３ａ、集塵ホース１２、延長管１３、１４を介して吸込口体１５内に吸込負圧が作用する。この状態で、手元操作管１３を握って吸込口体１５を被清掃面上で移動させながら掃除をしていく。
【００３９】
そして、吸込口体１５内に作用した吸込負圧によって、この吸込口体１５から空気及び塵埃が吸い込まれていく。図２に示すように、これらの空気及び塵埃は、吸込ホース１２及び接続パイプ２８ａを通って集塵容器２３ａ内に吸い込まれていく。そして、この空気及び塵埃はガイド２８ｂにより集塵容器２３ａの内壁に沿って渦流となる。このとき、塵埃は渦流の遠心力及び自重の作用によりサイクロン分離されて集塵容器２３ａの下方に蓄積し、空気だけがフィルタ２３ｂを通過して上方に向かって流れていく。
【００４０】
上方に向かって流れた空気は、吸込口３３からファン部３１内に流れ込み、さらにモータ部３２に流れ込んでいく。そして、図示しないモータの周囲を通過しながらモータを冷却し、第１排気口３４からモータ部３４の外に排気される。
【００４１】
このとき、第１排気口３４がモータ部３２の外周面３２ａに設けられているので、この空気はモータ部３４の側方に向かって排気される。
【００４２】
第１排気口３４が内筒４２に対向しているので、モータ部３４の側方に向かって排気された空気は、図２に矢印で示すように、第２消音部材４１を通過しモータケース４２の内筒４３の内周面に沿いながら連通開口４３ｃに向かっていく。この連通開口４３ｃは、内筒４３の内隔壁部４３ａの下端部に形成されているので、空気は下方に向かって流れることになる。また、空気が第２消音部材４１を通過するので、騒音を抑制することができる。
【００４３】
そして、連通開口４３ｃから排気風路４６に流れ込んだ空気は、モータカバー４２の外筒４４の内周面４４ａ´に沿いながら第２排気口４５に向かって流れていく。この第２排気口４５は上方に開口しているので、空気は上方に向かって流れることになる。
【００４４】
また、排気風路４６を空気が通過する際には、この排気風路４６に充満された第３消音部材４７を必ず通過するので、さらに騒音を抑制することができる。
【００４５】
一方、外筒４４の先端４４ｂが気密保持部材４０に密着しているので、掃除機本体１１を構成する上ケース１７とファン部３１の吸込側との気密性を保持する気密保持部材４０を利用して、排気風路４６に流れ込んだ空気が外筒４４と気密保持部材４０との間から漏れ出ることが防止される。これにより、騒音が漏れ出ることを防止できる。
【００４６】
そして、このように、第１排気口３４から排気された空気が第２排気風路４５から排気されるまでに、この空気はモータカバー４２内を、内筒４３及び外筒４４に沿ってジクザグ状に流れていくこととなる。したがって、第１排気口３４から排気された空気が、外筒４４に直接ぶつかることが回避されて、騒音が外部に伝達されにくくなっている。
【００４７】
さらに、空気がジグザグ状に流れることで第１排気口３４と第２排気口４５との間が長くなっており、第１排気口３４から排気された空気の勢いを十分に抑えた状態で第２排気風路４５から排気することができる。これにより、電動送風機３０が駆動した際に生じる騒音を十分に抑制することができる。
【００４８】
しかも、モータカバー４２が内筒４３、外筒４４との二重構造を有しているので、モータ部３２から外部に伝達される音を低減できるばかりでなく、この内筒４３、外筒４４によって消音部材を容易に保持できるので、消音部材を保持する構造が簡略化される。
【００４９】
そして、第２排気風路４５から送風機室３０ａ内に流れ込んだ空気は、連通口２７を介して外気に排気されていく。このとき、第１消音部材２７ａを通過するので、さらに騒音を抑制することができる。
【００５０】
【発明の効果】
この発明によれば、電動送風機を駆動した際に生じる騒音を十分に抑制することができる電気掃除機を提供することができる。また、消音部材を保持する構造を簡略化できる。
【図面の簡単な説明】
【図１】この発明にかかる電気掃除機の外観を示す斜視図である。
【図２】この発明にかかる電気掃除機の掃除機本体を示す縦断面図である。
【図３】モータカバーの一部破断斜視図である。
【図４】従来の電気掃除機の縦断面図である。
【符号の説明】
１０　　　　　　　電気掃除機
１１　　　　　　　掃除機本体
２２　　　　　　　集塵室
３０　　　　　　　電動送風機
３１　　　　　　　ファン部
３１ａ　　　　　　周縁部
３２　　　　　　　モータ部
３２ａ　　　　　　外周面
３４　　　　　　　第１排気口
４０　　　　　　　気密保持部材
４２　　　　　　　モータカバー
４３　　　　　　　内筒
４３ａ　　　　　　外周面
４４　　　　　　　外筒
４４ａ´　　　　　内周面
４５　　　　　　　第２排気口
４６　　　　　　　排気風路
４７　　　　　　　消音部材
【図１】
2004081428.tif 000003
【図２】
2004081428.tif 000004
【図３】
2004081428.tif 000005
【図４】
2004081428.tif 000006